(57)【要約】      （修正有）【課題】延長型睫毛セットの製造方法及びこれにより製造される延長型睫毛セットを提供する。【解決手段】上面に接着力のある接着剤部１５を有する支持部１０の接着剤部１５に一つの延長型睫毛２０を貼り付ける第１のステップと、前記貼り付けられた延長型睫毛２０に長手方向に沿って下部は接触して上部は分枝されるように少なくとも一つのさらなる延長型睫毛２０を貼り付けて、１組の延長型睫毛を形成する第２のステップと、前記支持部１０の接着剤部１５に沿って前記第１のステップ及び第２のステップを繰り返し行い、多数の延長型睫毛組を形成する第３のステップと、前記多数の延長型睫毛組の下部の上面にのみ接着剤を塗布する第４のステップと、を含むことを特徴とする延長型睫毛セットの製造方法及びこれにより製造される延長型睫毛セット。【選択図】図１
2008045265.tif 000002
【特許請求の範囲】
【請求項１】
上面に接着力のある接着剤部を有する支持部の接着剤部に一つの延長型睫毛を貼り付ける第１のステップと、
前記貼り付けられた延長型睫毛に長手方向に沿って下部は接触して上部は分枝されるように少なくとも一つのさらなる延長型睫毛を貼り付けて、１組の延長型睫毛を形成する第２のステップと、
前記支持部の接着剤部に沿って前記第１のステップ及び第２のステップを繰り返し行い、多数の延長型睫毛組を形成する第３のステップと、
前記多数の延長型睫毛組の下部の上面にのみ接着剤を塗布する第４のステップと、を含むことを特徴とする延長型睫毛セットの製造方法。
【請求項２】
前記接着剤は、水溶性の速乾性接着液であることを特徴とする請求項１に記載の延長型睫毛セットの製造方法。
【請求項３】
上面に接着剤部を有する支持部、前記支持部の上部接着剤部に貼着される多数の延長型睫毛組及び前記多数の延長型睫毛組の下部の上面に塗布された接着剤により構成され、請求項１または２に記載の延長型睫毛の製造方法により製造されることを特徴とする延長型睫毛セット。
【請求項４】
前記延長型睫毛は、前記支持部の下面に貼着する両面テープ及び前記両面テープの下面に貼着する離型紙をさらに備えることを特徴とする請求項３に記載の延長型睫毛セット。
【請求項５】
前記支持部と両面テープの上端との間に下端が挟着され、上端は上部に延設されて前記睫毛の部分の背面に位置し、睫毛と対比する色を有する挟紙をさらに備えることを特徴とする請求項４に記載の延長型睫毛セット。
【請求項６】
前記支持部は、その側端が前記両面テープから突設する突設杆をさらに備えることを特徴とする請求項４に記載の延長型睫毛セット。
【請求項７】
前記支持部は、その側端が前記両面テープから突設する突設杆をさらに備えることを特徴とする請求項５に記載の延長型睫毛セット。
【発明の詳細な説明】
【技術分野】
【０００１】
本発明は、延長型睫毛セットの製造方法及びこれにより製造される延長型睫毛セットに係り、さらに詳しくは、別途の付加的な装備を使用することなく、単純な方法により下部は単体で構成され、上部は少なくとも２つの分枝部を有する延長型睫毛を安価でかつ容易に製造することができ、この延長型睫毛により短い着用時間中に豊かな睫毛の仕上がりが得られる延長型睫毛セットの製造方法及びこれにより製造される延長型睫毛セットに関する。
【背景技術】
【０００２】
従来より、目を大きくてきれいに、しかも豊富に見せるために人造睫毛、二重まぶた作りテープ、マスカラ、アイライン、二重まぶた手術など多くの作業及び施術などが幅広く行われてきている。しかしながら、人造睫毛、マスカラ、アイライン、二重まぶた作りテープなどは単回性のものであり、二重まぶた手術、睫毛の移植など病院において行われている施術は一般人が自ら接近することに難点があり、施術を受けるには負担感のあるコストであるため、容易に利用できないのが現状である。
【０００３】
これに伴い、近年、延長型睫毛施術が行われているが、これは、既存の睫毛の一部に延長型睫毛を略６０〜１００本貼り付けることにより、自然でかつ豊富に施術が行われてきており、しかも、一回の施術により凡そ１５日〜３０日間持続されて既存の単回性の限界を克服し、その施術コストも安価であって、これらの製品の不都合を解消していた。
【０００４】
しかしながら、このような施術方法の場合には、延長型睫毛を１本ずつ既存の睫毛に接着剤により貼着するような方式であるため、１名を施術するのに２〜３時間もかかるという不都合があった。また、このような施術方法の場合には、細い延長型睫毛を一本ずつ取り扱うことが困難であるという不都合があるため、より短時間で多くの睫毛を貼り付け、施術者が延長型睫毛を容易に取り扱うようにしなければならないという課題がある。このため、延長型睫毛の取捨／選択／使い分けの便利性を確保し、まるで単一の接着過程により多数の接着を行ったかのような効果を有して施術時間の短縮及び施術時間の短縮による施術者の視力疲労の保護と被施術者の便宜を確保するようにする延長型睫毛セット及びこの製造方法の開発が切望されているのが現状である。
【発明の開示】
【発明が解決しようとする課題】
【０００５】
本発明は、上記事情に鑑みてなされたものであり、その目的は、別途の付加的な装備を使用することなく、単純な方法により下部は単体で構成され、上部は少なくとも２つの分枝部を有する延長型睫毛を安価でかつ容易に製造することができ、この延長型睫毛により短い着用時間中に豊かな睫毛の仕上がりが得られる延長型睫毛セットの製造方法及びこれにより製造される延長型睫毛セットを提供することにある。
【課題を解決するための手段】
【０００６】
上記目的を達成するために、本発明は、上面に接着力のある接着剤部を有する支持部の接着剤部に一つの延長型睫毛を貼り付ける第１のステップと、前記貼り付けられた延長型睫毛に長手方向に沿って下部は接触して上部は分枝されるように少なくとも一つのさらなる延長型睫毛を貼り付けて、１組の延長型睫毛を形成する第２のステップと、前記支持部の接着剤部に沿って前記第１のステップ及び第２のステップを繰り返し行い、多数の延長型睫毛組を形成する第３のステップと、前記多数の延長型睫毛組の下部の上面にのみ接着剤を塗布する第４のステップと、を含むことを特徴とする延長型睫毛セットの製造方法を提供する。
【０００７】
また、本発明は、上面に接着剤部を有する支持部、前記支持部の上部接着剤部に貼着される多数の延長型睫毛組及び前記多数の延長型睫毛組の下部の上面に塗布された接着剤により構成され、請求項１または２に記載の延長型睫毛の製造方法により製造されることを特徴とする延長型睫毛セットを提供する。
【発明の効果】
【０００８】
本発明の延長型睫毛セットの製造方法及びこれにより製造される延長型睫毛セットによれば、別途の付加的な製造装備を使用せずとも単純な方法により下部は単体で構成され、かつ、上部は少なくとも２つの分枝部を有する延長型睫毛を安価でかつ容易に製造することができ、このような延長型睫毛を提供することにより、短い着用時間中に豊富な睫毛の仕上がりが得られて、施術者及び被施術者の時間と手間を節減することが可能になるという効果がある。
【０００９】
また、これにより、施術者は、延長型睫毛の取り扱いが一層容易になり、必要に応じて、延長型睫毛セットを必要な個所に貼り付けて用いることができるので、より便利に施術することができるという効果がある。
【発明を実施するための最良の形態】
【００１０】
以下、図面に基づいて本発明を詳述する。
【００１１】
本発明は、延長型睫毛セットの製造方法に係り、上面に接着力のある接着剤部１５を有する支持部１０の接着剤部１５に一つの延長型睫毛２０を貼り付ける第１のステップと、前記貼り付けられた延長型睫毛２０に長手方向に沿って下部は接触して上部は分枝されるように少なくとも一つのさらなる延長型睫毛２０を貼り付けて１組の延長型睫毛２０を形成する第２のステップと、前記支持部１０の接着剤部１５に沿って前記第１のステップ及び第２のステップを繰り返し行い、多数の延長型睫毛２０組を形成する第３のステップ、及び前記多数の延長型睫毛組の下部の上面にのみ接着剤３０を塗布する第４のステップを含んでなる。
【００１２】
すなわち、睫毛の延長施術を容易にし、施術者が睫毛の取り扱いを容易にするためにそれぞれの睫毛を外して支持部に配置し、一回に少なくとも２本の睫毛よりなる睫毛組を被施術者の既存の睫毛に貼り付けるようにし、施術時間を短縮するために少なくとも２つの睫毛が組をなすように配置する。これに関する具体例は、図１に各ステップ別に示してある。ここで、前記接着剤部１５は、図１及び図３に示すように、支持部の一部にのみ形成されてもよいし、支持部の上面全体に亘って形成されてもよい。なお、この具体例は、図４に示してある。これによれば、まず、上面に接着剤部１５を有する支持部１０を設け、ここに睫毛２０を貼り付ける。このとき、図示のように、一回に２本の睫毛を外すことができ、これにより、２本の延長型睫毛を一回に貼り付けて豊富さを持たせて一組の睫毛は睫毛の長手方向に沿ってその下部は互いに接触されて上部は分枝するようにして貼り付ける。これにより、施術者は一回に２本の延長型睫毛を貼り付けることができる。前記１組に相当する延長型睫毛の数は、図示のように、２本であってもよいし、必要に応じては、３本または４本、あるいは、それ以上であってもよい。この場合にももちろん、睫毛の下部は互いに接触して単体をなし、上部は多数の分枝状になっていることは言うまでもない。
【００１３】
このような延長型睫毛組は、図１に示すように、多数の組を支持部に並設し、その最終的な固定のためにその上部に、図１に示すように、接着剤を刷毛塗りなどの公知の方法により塗布する。前記接着剤としては、公知の種々の接着剤が使用可能であり、好ましくは、延長型睫毛の脱着が容易に行われるようにするために、前記接着剤としては水溶性の速乾性接着液を使用することが好ましく、より好ましくは、メチルセルロース水溶液、特に、０．５〜５％の水溶液、ポリビニールアルコール（ＰＶＡ）水溶液、特に０．５〜５％の水溶液、アクリレート共重合体系の接着液またはゴム系の接着液を使用することができる。
【００１４】
さらに、本発明は、上述の如き延長型睫毛セットの製造方法と共に、これにより製造される延長型睫毛セットを提供するが、これは、上面に接着剤部１５を有する支持部１０と、前記支持部１０の上部接着剤部１５に貼着する多数の延長型睫毛２０組及び前記多数の延長型睫毛組の下部の上面に塗布された接着剤により構成されて、前記延長型睫毛の製造方法により製造されることを特徴とする延長型睫毛セットを提供する。
【００１５】
このような構成の延長型睫毛セットの一実施形態は図１の最終段階がこれに相当し、睫毛の長手方向を基準としてその下部を横方向に切り取った断面の具体例は図２に示す通りである。
【００１６】
また、好ましくは、施術者に延長型睫毛セットをより容易に使用させるために、前記延長型睫毛は前記支持部１０の下面に貼着する両面テープ４０及び前記両面テープ４０の下面に貼着する離型紙５０をさらに備えてもよい。この具体例は、図３に示す通りである。これにより、施術者は施術時に延長型睫毛をケースから外して前記離型紙５０を剥がし、前記両面テープの下面を露出させ、この接着力を用いて施術者自身が使用し易い自分の手の甲または腕などにこれを貼り付けて使用するようにできる。
【００１７】
さらに好ましくは、施術者が支持部に貼着されている延長型睫毛をより容易に区別するために、本発明の延長型睫毛セットは、挟紙６０をさらに備えていてもよいが、図４にその一実施形態が示してある。すなわち、前記支持部１０と両面テープ４０の上端との間に下端が挟着して上端は上方に延長されて前記睫毛部分の背面に位置し、睫毛と対比する色を有する挟紙６０をさらに備えるように構成できる。前記挟紙６０の色は、睫毛との対比がよく、施術者の疲労を取るような色、例えば、緑色であることが好ましく、この他にも、黄色、ピンクなどの黒色との対比がよい色も使用可能である。
【００１８】
このように構成される延長型睫毛セットは、延長型睫毛が固定された支持部１０が図５に示すようにその先端だけをケースに接着されて揃って一定のケースなどに貼り付けられて施術者に供給されてもよい。このために、支持部の先端にのみ接着剤を塗布したり、ケースの底面の上面のうち前記支持部の先端が接触される部分のみに両面テープまたは接着剤を用いて接着力を持たせることもできる。これは、前記挟紙６０を使用するかどうかとは無関係に適用可能であることは言うまでもない。このために、前記支持部１０は、図５の挟紙を備える場合に、図示のように、その長さが側面に延長されてもよい。
【００１９】
最後に、前記支持部１０は、図５に示すように、その側端に前記支持部１０から突設する突設杆１７をさらに備える形で提供可能である。これにより、施術者は、延長型睫毛が貼り付けられた支持部をケースなどから外すときに、これを用いて容易に脱去することができる。このような突設杆は、上述した種々の形の延長型睫毛セットにいずれも適用可能であり、図５に示すような形に限定されるものではなく、支持部の側端縁部からどの方向に突設されようが本発明に含まれるとする。
【００２０】
以上述べた本発明は、前述の実施形態及び添付図面により限定されるものではなく、特許請求の範囲に記載の本発明の思想及び領域から逸脱しない限り、当該技術分野における当業者が種々に修正及び変更させたものもまた本発明の範囲内に含まれることは言うまでもない。
【図面の簡単な説明】
【００２１】
【図１】本発明の延長型睫毛セットの製造方法の一実施形態の概略工程図。
【図２】本発明の延長型睫毛セットの製造方法により製造された延長型睫毛セットの一実施形態の断面図であって、接着剤部を有する睫毛の下端部の断面図。
【図３】本発明の延長型睫毛セットの製造方法により製造された延長型睫毛セットの他の実施形態を示す斜視図。
【図４】本発明の延長型睫毛セットの製造方法により製造された延長型睫毛セットの他の実施形態を示す斜視図。
【図５】本発明の延長型睫毛セットの製造方法により製造された延長型睫毛セットの他の実施形態を示す斜視図。
【符号の説明】
【００２２】
１０      支持部
１５      接着剤部
１７      突設杆
２０      睫毛
３０      接着剤
４０      両面テープ
５０      離型紙
６０      挟紙
【図１】
2008045265.tif 000003
【図２】
2008045265.tif 000004
【図３】
2008045265.tif 000005
【図４】
2008045265.tif 000006
【図５】
2008045265.tif 000007